(57)【要約】【課題】動画データの特徴画面である可能性が高い画像を、確実にサムネイルの候補として抽出することのできるサムネイル作成方法および動画データ再生装置を提供すること。【解決手段】複数のフレームを含む動画データからサムネイルを作成するためのサムネイル作成方法であって、動画データから、複数のフレーム群を抽出する抽出ステップと、抽出されたフレーム群ごとに、画素単位でフレームを比較し、一致画素数をカウントするステップ（Ｓ１０８）と、一致画素数のカウント値が少なくとも極大となるフレーム群から、任意の第１のフレームを、サムネイル候補として選択的に記憶する第１の記憶ステップ（Ｓ１３２）とを備える。【選択図】図７
2007201643.tif 000002
【特許請求の範囲】
【請求項１】
複数のフレームを含む動画データからサムネイルを作成するためのサムネイル作成方法であって、
前記動画データから、複数のフレーム群を抽出する抽出ステップと、
抽出された前記フレーム群ごとに、画素単位で前記フレームを比較し、一致画素数をカウントするステップと、
前記一致画素数のカウント値が少なくとも極大となる前記フレーム群から、任意の第１のフレームを、サムネイル候補として選択的に記憶する第１の記憶ステップとを備える、サムネイル作成方法。
【請求項２】
各前記フレーム群は、一定の間隔を有する前記フレームからなる、請求項１に記載のサムネイル作成方法。
【請求項３】
前記抽出ステップは、時間軸に沿って、前記フレーム群を順次抽出するステップを含む、請求項１または２に記載のサムネイル作成方法。
【請求項４】
前記第１の記憶ステップは、前記カウント値が極大であり、かつ、判定基準値を超えた場合に、前記第１のフレームを、前記サムネイル候補として記憶するステップを含み、
前記カウント値が最大値である場合に、前記判定基準値を前記最大値で更新する更新ステップをさらに備える、請求項１〜３のいずれか１項に記載のサムネイル作成方法。
【請求項５】
前記更新ステップは、前記カウント値が予め定められた閾値を超えた場合には、前記判定基準値の更新を除外するステップを含む、請求項４に記載のサムネイル作成方法。
【請求項６】
前記第１の記憶ステップは、前記カウント値が前記判定基準値を超える前記フレーム群から、任意の第２のフレームを、前記サムネイル候補として記憶するステップをさらに含む、請求項４に記載のサムネイル作成方法。
【請求項７】
記憶された複数の前記サムネイル候補を表示するステップと、
前記複数のサムネイル候補のうちユーザにより選択された画像に関する情報を、前記動画データの前記サムネイルの情報として記憶する第２の記憶ステップとをさらに備える、請求項１〜６のいずれか１項に記載のサムネイル作成方法。
【請求項８】
前記第１の記憶ステップは、前記カウント値が極大となる度に、前記サムネイル候補を、前記カウント値と関連付けて記憶するステップを含む、請求項１〜３のいずれか１項に記載のサムネイル作成方法。
【請求項９】
記憶された複数の前記サムネイル候補を、前記サムネイル候補それぞれに関連付けられたカウント値の多い順に並び替えるステップと、
並び替えられた前記複数のサムネイル候補を表示するステップと、
前記複数のサムネイル候補のうちユーザにより選択された画像に関する情報を、前記動画データの前記サムネイルの情報として記憶する第２の記憶ステップとをさらに備える、請求項８に記載のサムネイル作成方法。
【請求項１０】
各前記フレーム群は、３つのフレームを含む、請求項１〜３のいずれか１項に記載のサムネイル作成方法。
【請求項１１】
前記カウントするステップは、各画素間において色成分が同一の場合に、前記一致画素数をインクリメントするステップを含む、請求項１〜３のいずれか１項に記載のサムネイ
ル作成方法。
【請求項１２】
前記カウントするステップは、各画素間において色成分の差分値が所定の閾値未満の場合に、前記一致画素数をインクリメントするステップを含む、請求項１〜３のいずれか１項に記載のサムネイル作成方法。
【請求項１３】
複数のフレームを含む動画データから、複数のフレーム群を抽出するための抽出手段と、
抽出された前記フレーム群ごとに、画素単位で前記フレームを比較し、一致画素数をカウントするためのカウント手段と、
前記カウント手段によるカウント値が少なくとも極大となる前記フレーム群から、任意の第１のフレームを、サムネイル候補として選択的に記憶するための第１の記憶手段とを備える、動画データ再生装置。
【請求項１４】
各前記フレーム群は、一定の間隔を有する前記フレームからなる、請求項１３に記載の動画データ再生装置。
【請求項１５】
前記抽出手段は、時間軸に沿って、前記フレーム群を順次抽出する、請求項１３または１４に記載の動画データ再生装置。
【請求項１６】
前記第１の記憶手段は、前記カウント値が極大であり、かつ、判定基準値を超えた場合に、前記第１のフレームを、前記サムネイル候補として記憶し、
前記カウント値が最大値である場合に、前記判定基準値を前記最大値で更新するための更新手段をさらに備える、請求項１３〜１５のいずれか１項に記載の動画データ再生装置。
【請求項１７】
前記更新手段は、前記カウント値が予め定められた閾値を超えた場合には、前記判定基準値の更新を除外するための除外手段を含む、請求項１６に記載の動画データ再生装置。
【請求項１８】
前記第１の記憶手段は、前記カウント値が前記判定基準値を超える前記フレーム群から、任意の第２のフレームを、前記サムネイル候補としてさらに記憶する、請求項１６に記載の動画データ再生装置。
【請求項１９】
前記第１の記憶手段に記憶された複数の前記サムネイル候補を表示するための表示手段と、
前記複数のサムネイル候補のうちユーザにより選択された画像に関する情報を、前記動画データのサムネイルの情報として記憶するための第２の記憶手段とをさらに備える、請求項１３〜１８のいずれか１項に記載の動画データ再生装置。
【請求項２０】
前記第１の記憶手段は、前記カウント値が極大となる度に、前記サムネイル候補を、前記カウント値と関連付けて記憶する、請求項１３〜１５のいずれか１項に記載の動画データ再生装置。
【請求項２１】
前記第１の記憶手段に記憶された複数の前記サムネイル候補を、前記サムネイル候補それぞれに関連付けられたカウント値の多い順に並び替えるための並び替え手段と、
並び替えられた前記複数のサムネイル候補を表示するための表示手段と、
前記複数のサムネイル候補のうちユーザにより選択された画像に関する情報を、前記動画データの前記サムネイルの情報として記憶するための第２の記憶手段とをさらに備える、請求項２０に記載の動画データ再生装置。
【請求項２２】
各前記フレーム群は、３つのフレームを含む、請求項１３〜１５のいずれか１項に記載の動画データ再生装置。
【請求項２３】
前記カウント手段は、各画素間において色成分が同一の場合に、前記一致画素数をインクリメントする、請求項１３〜１５のいずれか１項に記載の動画データ再生装置。
【請求項２４】
前記カウント手段は、各画素間において色成分の差分値が所定の閾値未満の場合に、前記一致画素数をインクリメントする、請求項１３〜１５のいずれか１項に記載の動画データ再生装置。
【発明の詳細な説明】
【技術分野】
【０００１】
本発明は、サムネイル作成方法および動画データ再生装置に関し、特に、動画データからサムネイルを作成することのできるサムネイル作成方法および動画データ再生装置に関する。
【背景技術】
【０００２】
従来より、動画データからサムネイルとなる静止画像を抽出するために様々な技術が提案されている。
【０００３】
たとえば特許文献１には、動画映像のＣＭ（コマーシャル・メッセージ）箇所の前後所定時間の間で一または複数の静止画像を抽出することが開示されている。特許文献２には、ＣＭではない期間において周期的に発生するタイミング信号に同期して、映像信号の縮小画像を生成することが開示されている。特許文献３には、映像信号の属性（たとえば、放送局、記録開始時刻など）を検出し、検出された属性に基づいてサムネイル画を生成することが開示されている。
【０００４】
また、文字が含まれる画像を検出するための技術も提案されている。特許文献４には、動画像を構成する複数のフレームから、文字出現フレームを検出することが開示されている。特許文献５には、動画像内に含まれる文字領域を検出することが開示されている。
【特許文献１】特開２００３−２７４３６１号公報
【特許文献２】特開２０００−１７５１３３号公報
【特許文献３】特開２００４−１５６１１号公報
【特許文献４】特開平４−３１６１７７号公報
【特許文献５】特開平１０−４９６８２号公報
【発明の開示】
【発明が解決しようとする課題】
【０００５】
特許文献１〜３に開示された技術では、ある基準点から何秒後というように時間に基づいてサムネイルが抽出されるが、番組によって、特徴となる画像が出現する時間はまちまちである。このことから、特許文献１〜３のような方法では、さらには、特許文献４および５の技術を用いたとしても、最適なサムネイルが抽出できるとは限らない。
【０００６】
本発明は、上記のような問題を解決するためになされたものであって、その目的は、動画データの特徴画面である可能性が高い画像を、確実にサムネイルの候補として抽出することのできるサムネイル作成方法および動画データ再生装置を提供することである。
【課題を解決するための手段】
【０００７】
この発明のある局面に従うサムネイル作成方法は、複数のフレームを含む動画データからサムネイルを作成するためのサムネイル作成方法であって、動画データから、複数のフレーム群を抽出する抽出ステップと、抽出されたフレーム群ごとに、画素単位でフレームを比較し、一致画素数をカウントするステップと、一致画素数のカウント値が少なくとも極大となるフレーム群から、任意の第１のフレームを、サムネイル候補として選択的に記憶する第１の記憶ステップとを備える。
【０００８】
これにより、画素変化の少ない画像がサムネイル候補として抽出される。
好ましくは、各フレーム群は、一定の間隔を有するフレームからなる。
【０００９】
抽出ステップは、時間軸に沿って、フレーム群を順次抽出するステップを含む。
好ましくは、第１の記憶ステップは、カウント値が極大であり、かつ、判定基準値を超えた場合に、第１のフレームを、サムネイル候補として記憶するステップを含み、カウント値が最大値である場合に、判定基準値を最大値で更新する更新ステップをさらに備える。
【００１０】
好ましくは、更新ステップは、カウント値が予め定められた閾値を超えた場合には、判定基準値の更新を除外するステップを含む。
【００１１】
好ましくは、第１の記憶ステップは、カウント値が判定基準値を超えるフレーム群から、任意の第２のフレームを、サムネイル候補として記憶するステップをさらに含む。
【００１２】
好ましくは、記憶された複数のサムネイル候補を表示するステップと、複数のサムネイル候補のうちユーザにより選択された画像に関する情報を、動画データのサムネイルの情報として記憶する第２の記憶ステップとをさらに備える。
【００１３】
好ましくは、第１の記憶ステップは、カウント値が極大となる度に、サムネイル候補を、カウント値と関連付けて記憶するステップを含む。
【００１４】
好ましくは、記憶された複数のサムネイル候補を、サムネイル候補それぞれに関連付けられたカウント値の多い順に並び替えるステップと、並び替えられた複数のサムネイル候補を表示するステップと、複数のサムネイル候補のうちユーザにより選択された画像に関する情報を、動画データのサムネイルの情報として記憶する第２の記憶ステップとをさらに備える。
【００１５】
好ましくは、各フレーム群は、３つのフレームを含む。
好ましくは、カウントするステップは、各画素間において色成分が同一の場合に、一致画素数をインクリメントするステップを含む。
【００１６】
好ましくは、カウントするステップは、各画素間において色成分の差分値が所定の閾値未満の場合に、一致画素数をインクリメントするステップを含む。
【００１７】
この発明の他の局面に従う動画データ再生装置は、複数のフレームを含む動画データから、複数のフレーム群を抽出するための抽出手段と、抽出されたフレーム群ごとに、画素単位でフレームを比較し、一致画素数をカウントするためのカウント手段と、カウント手段によるカウント値が少なくとも極大となるフレーム群から、任意の第１のフレームを、サムネイル候補として選択的に記憶するための第１の記憶手段とを備える。
【００１８】
これにより、画素変化の少ない画像がサムネイル候補として抽出される。
好ましくは、各フレーム群は、一定の間隔を有するフレームからなる。
【００１９】
好ましくは、抽出手段は、時間軸に沿って、フレーム群を順次抽出する。
好ましくは、第１の記憶手段は、カウント値が極大であり、かつ、判定基準値を超えた場合に、第１のフレームを、サムネイル候補として記憶し、カウント値が最大値である場合に、判定基準値を最大値で更新するための更新手段をさらに備える。
【００２０】
好ましくは、更新手段は、カウント値が予め定められた閾値を超えた場合には、判定基準値の更新を除外するための除外手段を含む。
【００２１】
好ましくは、第１の記憶手段は、カウント値が判定基準値を超えるフレーム群から、任
意の第２のフレームを、サムネイル候補としてさらに記憶する。
【００２２】
好ましくは、第１の記憶手段に記憶された複数のサムネイル候補を表示するための表示手段と、複数のサムネイル候補のうちユーザにより選択された画像に関する情報を、動画データのサムネイルの情報として記憶するための第２の記憶手段とをさらに備える。
【００２３】
好ましくは、第１の記憶手段は、カウント値が極大となる度に、サムネイル候補を、カウント値と関連付けて記憶する。
【００２４】
好ましくは、第１の記憶手段に記憶された複数のサムネイル候補を、サムネイル候補それぞれに関連付けられたカウント値の多い順に並び替えるための並び替え手段と、並び替えられた複数のサムネイル候補を表示するための表示手段と、複数のサムネイル候補のうちユーザにより選択された画像に関する情報を、動画データのサムネイルの情報として記憶するための第２の記憶手段とをさらに備える。
【００２５】
好ましくは、各フレーム群は、３つのフレームを含む。
好ましくは、カウント手段は、各画素間において色成分が同一の場合に、一致画素数をインクリメントする。
【００２６】
好ましくは、カウント手段は、各画素間において色成分の差分値が所定の閾値未満の場合に、一致画素数をインクリメントする。
【発明の効果】
【００２７】
本発明によると、一定時間の間、画素変化の少ない画像が検出される。これにより、動画データの特徴となる画像を、サムネイル候補として抽出することができる。
【発明を実施するための最良の形態】
【００２８】
本発明の実施の形態について図面を参照しながら詳細に説明する。なお、図中同一または相当部分には同一符号を付してその説明は繰返さない。
【００２９】
［実施の形態１］
図１は、本発明の実施の形態１における動画データ再生装置１００のハードウェア構成を示すブロック図である。
【００３０】
図１を参照して、動画データ再生装置１００は、動画データ再生装置１００の全体的な制御を行なうための制御部１０と、プログラムおよび各種データを記憶するためのメモリ１１と、録画した動画データ（以下「コンテンツ」という）を記録するための録画データ記録部２０と、アンテナ６１を介してテレビ放送を受信するためのＴＶ放送受信部３０と、フレームデータを記憶するための第１フレームデータ記憶部４１，第２フレームデータ記憶部４２，第３フレームデータ記憶部４３，第４フレームデータ記憶部４４と、後述するサムネイル候補を記憶するためのサムネイル候補記憶部４５と、サムネイル候補を表示するための表示部３２と、ユーザからの指示の入力を受付けるための入力部３４と、記録媒体６２からのデータの読出および書込を行なうためのドライブ装置３６とを備える。
【００３１】
録画データ記録部２０には、コンテンツごとのサムネイルに関する情報を記憶するサムネイルデータ記憶部２１が含まれる。サムネイルデータ記憶部２１のデータ構造については、後述する。
【００３２】
表示部３２は、たとえばＬＣＤ（Liquid Crystal Display）により構成される。入力部３４は、なお、複数のキーにより構成される。入力部３４は、リモコン（図示せず）から
の赤外線信号による指令・指示を受信し、データに変換して制御部１０に与えるように構成されていてもよい。
【００３３】
なお、再生装置１００は、動画データが再生できる装置であればよく、ＤＶＤ（Digital Versatile Disc）レコーダ、ＨＤＤ（Hard disk drive）レコーダ、パーソナルコンピュータ（アプリケーション）、携帯電話などの携帯通信端末などが想定される。
【００３４】
図２は、本発明の実施の形態１における動画データ再生装置１００の機能ブロック図である。
【００３５】
複数のフレームを含むコンテンツから複数のフレーム群を抽出するためのフレーム抽出部１２と、抽出されたフレーム群ごとに画素単位でフレームデータを比較し、画素変化の少ない画像を検出するための画像検出部１４と、１以上のサムネイル候補の中から、サムネイルの登録処理を行なうためのサムネイル登録部１８とを含む。
【００３６】
フレーム抽出部１２は、録画データ記録部２０に記録されたコンテンツから複数のフレーム群を抽出する。フレーム抽出部１２は、相互に一定の間隔を有する３つのフレームデータからなるフレーム群を抽出することが好ましい。そのために、フレーム抽出部１２は、フレームデータの間隔をカウントするためのフレームカウンタ２を有している。フレーム抽出部１２は、抽出した３つのフレームデータを、それぞれ、第１フレームデータ記憶部４１、第２フレームデータ記憶部４２および第３フレームデータ記憶部４３に格納する。
【００３７】
なお、本実施の形態において、フレーム抽出部１２は、録画済みのコンテンツから複数のフレーム群を抽出することとして説明するが、録画中のコンテンツから複数のフレーム群を抽出することとしてもよい。あるいは、記録媒体６２に記録されたコンテンツをドライブ装置３６が読み出し、読み出されたコンテンツから複数のフレーム群が抽出されてもよい。
【００３８】
画像検出部１４は、フレーム抽出部１２により抽出されたフレーム群ごとに、画素単位でフレームデータを比較し、一致している画素数をカウントするためのカウント部４と、カウント部４によるカウント値に基づき、サムネイル候補を抽出・記憶するためのサムネイル候補抽出・記憶部６と、判定基準値を更新するための更新部８とを有する。
【００３９】
カウント部４は、より具体的には、カウント部４は、第１フレームデータ記憶部４１、第２フレームデータ記憶部４２および第３フレームデータ記憶部４３に記憶された３つのフレームデータを、画素単位で比較し、一致している画素数をカウントする。
【００４０】
サムネイル候補抽出・記憶部６は、カウント部４によりカウントされた一致画素数のカウント値が少なくとも極大となるフレーム群から、フレームデータを選択的にサムネイル候補として抽出する。本実施の形態では、サムネイル候補を抽出するために、具体的に次のような処理を行なう。すなわち、サムネイル候補抽出・記憶部６は、まず、カウント値が後述する判定基準値を超えるフレーム群から、第１フレームデータ記憶部４１に記憶されたフレームデータを、第４フレームデータ記憶部４４に仮保存する処理を行なう。そして、仮保存したフレームデータに対応するカウント値が極大値であることが検知された場合に、第４フレームデータ記憶部４４に記憶されたフレームデータを縮小した画像データを、サムネイル候補として、サムネイル候補記憶部４５に記憶する処理を行なう。
【００４１】
なお、本実施の形態では、カウント値が極大となるフレームデータの縮小画像データを、サムネイル候補記憶部４５に記憶することとして説明するが、縮小前の画像データ（フ
レームデータ）を記憶することとしてもよい。
【００４２】
更新部８は、カウント値が所定の閾値以下の場合に、判定基準値を最大値で更新し、カウント値が所定の閾値を超える場合には、判定基準値の更新を除外する。
【００４３】
サムネイル登録部１８は、サムネイル候補記憶部４５に記憶されたサムネイル候補を表示部３２に表示する処理を行なう。入力部３４を介してユーザにより選択された画像を、サムネイルデータ記憶部２１に登録する。
【００４４】
各機能ブロックの動作は、メモリ１１中に格納されたソフトウェアを実行することで実現されてもよいし、少なくとも一部については、ハードウェアで実現されてもよい。
【００４５】
図３は、サムネイルデータ記憶部２１のデータ構造の一例を示す図である。
サムネイルデータ記憶部２１には、コンテンツそれぞれを管理するための管理データＡ１，Ａ２，…，Ａｋ，…Ａｎが格納される。管理データＡｋは、コンテンツの番組名（コンテンツ名）データＤ１と、録画日時データＤ２と、チャンネルデータＤ３と、コンテンツデータの開始アドレスデータＤ４と、サムネイルデータＤ５とを有する。
【００４６】
本実施の形態において、サムネイルデータＤ５には、サムネイルの画像データ（以下「サムネイルデータ」という）が１つ格納される。なお、２以上のサムネイルデータが格納されてもよい。また、ここでは、画像データが格納されることとするが、画像データを表わす位置情報（たとえば、アドレスデータ，時間データ）が格納されてもよい。また、ここでは、コンテンツを管理するための管理データＡｋに、サムネイルデータＤ５が含まれることとしたが、各コンテンツとサムネイルデータとが対応付けられていればよい。
【００４７】
図４（ａ）は、本発明の実施の形態１におけるフレームデータの各画素の座標を示す図である。フレームデータが、８００×６００の画像データである場合、Ｘ座標は、０〜７９９で構成され、Ｙ座標は、０〜５９９で構成される。本実施の形態において、各画素の座標を“（ｘ，ｙ）”で表わし、“ｎ＝ｘ＋８００×ｙ”とすると、（ｘ，ｙ）をｎ番目の画素と呼ぶ。
【００４８】
図４（ｂ）は、第１〜第３フレームデータ記憶部４１〜４３のデータ構造の一例を示す図である。この図では、１画素が３２ｂｉｔの画像の場合の例が示されている。
【００４９】
各画素の色成分は、“色成分（座標）”と表わされる。また、本実施の形態において、１画素のデータは、“Ｒ成分”、“Ｇ成分”、“Ｂ成分”および“空き”から成るものと仮定する。
【００５０】
図５は、本発明の実施の形態１におけるフレーム抽出処理の概念を示す図である。
図５を参照して、フレーム抽出部１２は、時間軸に沿って、複数のフレーム群の抽出を行なう。本実施の形態では、互いに１５フレーム間隔有する３つのフレームデータからなるフレーム群の抽出を行なう。具体的には、フレームカウンタ２におけるカウント数が０，１５，３０のフレームデータからなるフレーム群を抽出し、第１の比較を行なう。次に、フレーム抽出部１２は、フレームカウンタ２におけるカウント数が１，１６，３１のフレームデータをからなるフレーム群を抽出し、第２の比較を行なう。同様に、フレームカウンタ２におけるカウント数が２，１７，３２のフレームデータからなるフレーム群を抽出し、第３の比較を行なう。
【００５１】
このように、本実施の形態では、連続するフレーム間ではなく、１５フレーム間隔といった一定の間隔を有するフレーム間で、画素値の比較を行なう。連続するフレーム間の時
差が、１／３０秒であるとすると、１５フレーム間隔とすることで、ある程度の期間（１／２秒間）同一画素値と予想される画素を検出することができる（連続するフレーム間での比較であれば、同一画素値である画素が多くなる）。
【００５２】
また、本実施の形態では、２つのフレームデータ間ではなく、３つのフレームデータ間で比較を行なう。これにより、１秒間同一画素値であるかが検出されるため、検出の精度を向上することができる。
【００５３】
なお、本実施の形態では、１５フレーム間隔で比較することとするが、このような間隔に限定されるものではない。あるいは、本実施の形態では、３つのフレームで比較することとしたが、２つのフレームまたは４つ以上のフレームで比較してもよい。あるいは、本実施の形態では、第１の比較の次に１フレーム進んで第２の比較を行なうこととしたが、第１の比較の次に２以上のフレームを進めてから第２の比較を行なってもよい。この場合、第３の比較以降も同様である。
【００５４】
また、本実施の形態では、時間軸に沿って複数のフレーム群を抽出することとするが、必ずしも時間軸に沿って抽出されるものでなくてもよい。たとえば、録画後のコンテンツから一度に複数のフレーム群が抽出されて、以下に示すような処理が行なわれてもよい。
【００５５】
図６は、本発明の実施の形態１の動画データ再生装置１００の制御部１０において実行される処理（以下「サムネイル候補決定処理」という）のメインルーチンの流れを示すフローチャートである。図６のフローチャートに示す処理は、予めプログラムとしてメモリ１１に格納されており、制御部１０がこのプログラムを読み出して実行することにより、サムネイル候補決定処理が実現される。なお、以下に示すサムネイル候補決定処理は、ユーザからの指示に応じて実行されてもよいし、録画終了後に自動的に（たとえば所定時間経過後に）実行されてもよい。
【００５６】
図６を参照して、初めに、フレーム抽出部１２は初期化処理を行なう（ステップＳ（以下「Ｓ」と略す）２）。以下の説明において、フレーム間隔数を“ｉ”、フレームカウンタ２におけるカウント数を“ｆｃ”、カウント数ｆｃで表わされるフレームを“Ｆ［ｆｃ］”で表わすものとする。
【００５７】
Ｓ２において、フレーム抽出部１２は、カウント数ｆｃに、２＊ｉを代入する（定数ｉ＝１５）。また、判定基準値“ｍａｘ”に、サムネイル候補に採用する一致画素数の下限値を代入する。下限値は、予め、出荷時に定められていてもよいし、ユーザにより定められてもよい。
【００５８】
また、判定基準値ｍａｘを更新しない閾値（下限値）を“ｍａｘ＿ｍａｘ”とすると、閾値ｍａｘ＿ｍａｘ以上の最大値記憶変数“ｏｖｅｒ＿ｍａｘ”に、閾値ｍａｘ＿ｍａｘの値を代入する。ここで、閾値ｍａｘ＿ｍａｘは、予め、出荷時に定められていてもよいし、ユーザにより定められてもよい。
【００５９】
また、判定基準値ｍａｘの更新を禁止するか否かを示すフラグ“ｍａｘ＿ｌｏｃｋ”を０とする。なお、フラグｍａｘ＿ｌｏｃｋが０の場合、判定基準値ｍａｘの更新ができることを示し、フラグｍａｘ＿ｌｏｃｋが１の場合、判定基準値ｍａｘの更新ができないことを示すものとする。
【００６０】
さらに、１フレーム前の一致画素数“ｓｋ［−１］”を０とする。なお、「１フレーム前の一致画素数」とは、直前のフレーム群における３つのフレームデータの一致画素数を表わす。
【００６１】
Ｓ２の初期化処理が終わると、フレーム抽出部１２は、第１フレームデータ記憶部４１に、Ｆ［ｆｃ−２＊ｉ］のフレームデータを書込む（Ｓ４）。続いて、フレーム抽出部１２は、第２フレームデータ記憶部４２に、Ｆ［ｆｃ−ｉ］のフレームデータを書込む（Ｓ６）。さらに、フレーム抽出部１２は、第３フレームデータ記憶部４３に、Ｆ［ｆｃ］のフレームデータを書込む（Ｓ８）。
【００６２】
Ｓ４〜Ｓ８のフレーム抽出処理が終わると、サムネイル候補抽出・記憶処理が実行される（Ｓ１０）。Ｓ１０のサムネイル候補抽出・記憶処理については、後にサブルーチンを挙げて説明する。
【００６３】
Ｓ１０の処理が終わると、フレーム抽出部１２は、カウント数ｆｃのフレームが、最終フレームか否かを判断する（Ｓ１２）。最終フレームか否かの判断は、コンテンツの最終フレームか否かを判断することにより行なわれてもよいし、たとえば、開始より所定時間（たとえば１０分）先のフレームを最終フレームとして、開始より所定時間先のフレームか否かの判断により行われてもよい。サムネイルに最適な画像は、番組の始めの方に出現する場合が多い。したがって、開始より所定時間内に留めることで、効率良くサムネイル候補を抽出することができる。
【００６４】
Ｓ１２において、カウント数ｆｃのフレームが最終フレームでないと判断された場合（Ｓ１２においてＮＯ）、フレームカウンタ２のカウント数ｆｃを１だけインクリメントする（Ｓ１４）。Ｓ１４の処理が終わると、Ｓ４に戻る。一方、カウント数ｆｃのフレームが最終フレームであると判断された場合（Ｓ１２においてＹＥＳ）、この一連の処理は終了される。
【００６５】
図７は、本発明の実施の形態１におけるサムネイル候補抽出・記憶処理を示すフローチャートである。
【００６６】
初めに、画像検出部１４は、初期化処理を行なう（Ｓ１０２）。具体的には、アドレス参照用カウンタｊを０にする。また、一致画素数カウント用変数ｓｋ［０］を０にする。以下の説明において、同一の値とみなす閾値（定数）を“ｅｑ”、色成分記憶用バイトサイズ変数を、“ｒｘ”，“ｇｘ”，“ｂｘ”（ｘ∈１，２，３）と表わす。
【００６７】
次に、変数ｒ１，ｇ１，ｂ１にそれぞれ第１フレームデータ記憶部４１の４＊ｊ，４＊ｊ＋１，４＊ｊ＋２バイト目のデータを代入する。同様に、変数ｒ２，ｇ２，ｂ２には第２フレームデータ記憶部４２から、ｒ３，ｇ３，ｂ３には第３フレームデータ記憶部４３から各データを代入する（Ｓ１０４）。
【００６８】
次に、カウント部４は、画素の一致度を判断する（Ｓ１０６）。より具体的には、“｜ｒ１−ｒ２｜＜ｅｑかつ｜ｒ２−ｒ３｜＜ｅｑかつ｜ｇ１−ｇ２｜＜ｅｑかつ｜ｇ２−ｇ３｜＜ｅｑかつ｜ｂ１−ｂ２｜＜ｅｑかつ｜ｂ２−ｂ３｜＜ｅｑ”か否かを判断する。この条件を満たしていると判断された場合（Ｓ１０６においてＹＥＳ）、カウント用変数ｓｋ［０］を１だけインクリメントする（Ｓ１０８）。Ｓ１０８の処理が終わると、Ｓ１１０に進む。一方、Ｓ１０６において、条件を満たしていないと判断された場合（Ｓ１０６においてＮＯ）、Ｓ１１０に進む。
【００６９】
Ｓ１１０において、画像検出部１４は、アドレス参照用カウンタｊを１だけインクリメントする（Ｓ１１０）。
【００７０】
上記Ｓ１０６に示したように、本実施の形態では、完全に画素値が一致していなくても
、同一画素であると判定することとした。同じものを撮影している場合でも、揺らぎなどにより必ずしも同一画素値で放送・録画できるとは限らないが、このようにすることで、揺らぎを許容することができる。また、これに伴ない、サムネイル候補の抽出の精度を向上させることができる。
【００７１】
次に、画像検出部１４は、アドレス参照用カウンタｊが４８００００未満か否かを判断する（Ｓ１１２）。アドレス参照用カウンタｊが４８００００未満であると判断された場合（Ｓ１１２においてＹＥＳ）、Ｓ１０４に戻る。一方、アドレス参照用カウンタｊが４８００００に達したと判断された場合（Ｓ１１２においてＮＯ）、Ｓ１１４に進む。
【００７２】
Ｓ１１４において、サムネイル候補抽出・記憶部６は、１フレーム前の一致画素数ｓｋ［−１］が、今回の一致画素数ｓｋ［０］よりも大きいか否かを判断する。１フレーム前の一致画素数ｓｋ［−１］が、今回の一致画素数ｓｋ［０］以下であると判断された場合（Ｓ１１４においてＮＯ）、Ｓ１１６に進む。一方、１フレーム前の一致画素数ｓｋ［−１］が今回の一致画素数ｓｋ［０］よりも大きいと判断された場合（Ｓ１１４においてＹＥＳ）、Ｓ１２０に進む。
【００７３】
Ｓ１１６において、サムネイル候補抽出・記憶部６は、今回の一致画素数ｓｋ［０］が変数ｏｖｅｒ＿ｍａｘを超えているか、または、今回の一致画素数ｓｋ［０］が、判定基準値ｍａｘよりも大きくかつ閾値ｍａｘ＿ｍａｘ以下であるか否かを判断する。条件を満たしていると判断された場合（Ｓ１１６においてＹＥＳ）、仮保存を行なう（Ｓ１１８）。より詳細には、第４フレームデータ記憶部４４に、第１フレームデータ記憶部４１のデータを上書きする。同時に、フラグｍａｘ＿ｌｏｃｋを０にする。一方、条件を満たしていないと判断された場合（Ｓ１１６においてＮＯ）、Ｓ１３４に進む。
【００７４】
Ｓ１２０において、サムネイル候補抽出・記憶部６は、１フレーム前の一致画素数ｓｋ［−１］が閾値ｍａｘ＿ｍａｘよりも大きいか否かを判断する。条件を満たしていると判断された場合（Ｓ１２０においてＹＥＳ）、Ｓ１２６に進む。一方、条件を満たしていないと判断された場合（Ｓ１２０においてＮＯ）、Ｓ１２２に進む。
【００７５】
Ｓ１２２において、１フレーム前の一致画素数ｓｋ［−１］が判定基準値ｍａｘよりも大きくかつ、フラグｍａｘ＿ｌｏｃｋが０であるか否かを判断する。条件を満たしていると判断された場合（Ｓ１２２においてＹＥＳ）、Ｓ１２４に進む。一方、条件を満たしていないと判断された場合（Ｓ１２２においてＮＯ）、Ｓ１３４に進む。
【００７６】
Ｓ１２４において、更新部８は、判定基準値ｍａｘを、１フレーム前の一致画素数ｓｋ［−１］の値（最大値に相当）に更新する。Ｓ１２４の処理が終わると、Ｓ１３２に進む。
【００７７】
Ｓ１２６において、サムネイル候補抽出・記憶部６は、フラグｍａｘ＿ｌｏｃｋを１にする。次に、サムネイル候補抽出・記憶部６は、１フレーム前の一致画素数ｓｋ［−１］が変数ｏｖｅｒ＿ｍａｘより大きいか否かを判断する（Ｓ１２８）。条件を満たしていると判断（Ｓ１２８においてＹＥＳ）、変数ｏｖｅｒ＿ｍａｘを、１フレーム前の一致画素数ｓｋ［−１］の値とする（Ｓ１３０）。Ｓ１３０の処理が終わるとＳ１３２に進む。
【００７８】
Ｓ１３２において、サムネイル候補抽出・記憶部６は、本保存を行なう。より詳細には、サムネイル候補記憶部４５に、第４フレームデータ記憶部４４のデータを縮小して追記する。Ｓ１３２の処理が終わると、Ｓ１３４に進む。
【００７９】
Ｓ１３４において、１フレーム前の一致画素数ｓｋ［−１］に、今回の一致画素数ｓｋ
［０］の値を代入する。
【００８０】
Ｓ１３４の処理が終わると、処理はメインルーチンに戻される。
上記処理によると、コンテンツ中の画素変化の少ない画像を自動で抽出することができる。画素変化の少ない画像は、一定時間をかけて視聴者に見せたいという製作者の意図の表れであるため、サムネイルとして相応しい画像が抽出されることになる。
【００８１】
また、本発明の実施の形態１では、カウント値が極大であり、かつ、判定基準値ｍａｘを超えた場合に、サムネイル候補の抽出・記憶（本保存）を行なう。これにより、連続的に一致画素数が増大する場合に、同様の画像がサムネイル候補として抽出されるのを防止することができる。
【００８２】
また、本実施の形態では、カウント値が極大であり、かつ、判定基準値ｍａｘを超え、かつ、閾値ｍａｘ＿ｍａｘ以内である場合に、判定基準値ｍａｘを更新する。つまり、サムネイル候補として抽出されると、基本的には判定基準値ｍａｘを更新するが、カウント値が閾値ｍａｘ＿ｍａｘを超えている場合には、判定基準値ｍａｘを更新しない。これにより、極端に一致画素数が多いフレーム（たとえば、提供元の企業名が出現するフレームなど）が登場した場合に、以後に登場するサムネイルに相応しいフレームが、候補から外れてしまうという不都合を防止することができる。
【００８３】
図８（ａ）は、本発明の実施の形態１においてサムネイル候補として抽出されるフレームを表わす図である。この図には、縦軸を一致画素割合（％）、横軸をフレームカウント数で表わすグラフが示される。図８（ａ）を参照して、上記処理が行なわれると、Ａ１，Ｂ１，…Ｇ１の位置のフレームがサムネイル候補として抽出される。
【００８４】
なお、本実施の形態では、カウント値が極大となるフレームが、選択的にサムネイル候補として抽出されたが、図８（ｂ）に示すように、カウント値が極大でなくても、判定基準値ｍａｘ（過去の最大値に相当）を超えるフレームも、サムネイル候補として抽出されてもよい。
【００８５】
あるいは、本実施の形態では、カウント値が閾値ｍａｘ＿ｍａｘを超えている場合、カウント値が最大値記憶変数ｏｖｅｒ＿ｍａｘ以上のときにのみ、サムネイル候補として抽出されることとした。しかしながら、このような抽出方法に限定されるものではない。たとえば、カウント値が閾値ｍａｘ＿ｍａｘを超えている場合、極大がくる度にサムネイル候補として抽出してもよい。あるいは、カウント値が閾値ｍａｘ＿ｍａｘを超えている場合には、はじめに極大となるフレームのみが、サムネイル候補として抽出されてもよい。あるいは、閾値ｍａｘ＿ｍａｘを超えた場合、カウント値が極大値であったとしても、サムネイル候補として抽出しないこととしてもよい。
【００８６】
あるいは、閾値ｍａｘ＿ｍａｘを設けないこととしてもよい。すなわち、カウント値が判定基準値ｍａｘ（この場合、必ず１つ前の最大値となる）を超え、かつ、極大となるフレームを、順次、サムネイル候補としてもよい。
【００８７】
また、本実施の形態では、ＲＧＢの各色成分の一致度を判断することとしたが、色空間の値の一致度を判断するものであればよく、ＲＧＢ以外の成分の一致度を判断してもよい。
【００８８】
図９は、本発明の実施の形態１におけるサムネイル登録処理を示すフローチャートである。図９のフローチャートに示す処理もまた、予めプログラムとしてメモリ１１に格納されており、制御部１０がこのプログラムを読み出して実行することにより、サムネイル登
録処理が実現される。
【００８９】
図９を参照して、サムネイル登録部１８は、サムネイル候補記憶部４５に記憶された１以上のサムネイル候補を読出す（Ｓ３０２）。次に、サムネイル登録部１８は、読出したサムネイル候補を表示部３２に表示する（Ｓ３０４）。Ｓ３０４において表示されるサムネイル候補一覧画面の一例を図１０に示す。
【００９０】
図１０は、サムネイル候補一覧画面の一例を示す図である。図１０を参照して、表示部３２の所定の領域５１には、１以上のサムネイル候補が表示される。同時に、表示中のサムネイル候補から１つの画像を選択するためのカーソルキー５２が所定の領域に表示される。
【００９１】
再び図９を参照して、サムネイル登録部１８は、決定キー（図示せず）が押下されたか否かを判断する（Ｓ３０６）。決定キー（図示せず）の押下が検知されない場合（Ｓ３０６においてＮＯ）、Ｓ３０８に進む。Ｓ３０８において、サムネイル登録部１８は、カーソルキー５２が操作されているか否かを判断する。カーソルキー５２が操作されていると判断された場合（Ｓ３０８においてＹＥＳ）、Ｓ３０６に戻る。
【００９２】
Ｓ３０６において、決定キー（図示せず）の押下が検知された場合（Ｓ３０６においてＹＥＳ）、サムネイル登録部１８は、ユーザが決定したサムネイル候補をコンテンツと関連付けてサムネイルデータ記憶部２１に記憶する（Ｓ３１０）。より具体的には、ユーザにより選択されたサムネイル候補を、サムネイルデータ記憶部２１における対応する管理データＡｋのサムネイルデータＤ５として記憶する。
【００９３】
Ｓ３０８において、カーソルキー５２が操作されていないと判断された場合（Ｓ３０８においてＮＯ）、他の処理が実行される（Ｓ３１２）。
【００９４】
以上で、本発明の実施の形態１におけるサムネイル登録処理は終了される。
このように、本発明の実施の形態１における動画データ再生装置１００では、自動でサムネイル候補を抽出・記憶するが、実際のサムネイルの登録はユーザに委ねる。これにより、ユーザが意図しない画像が、サムネイルとして登録されてしまうことを防止することができる。
【００９５】
［実施の形態２］
次に、本発明の実施の形態２について説明する。
【００９６】
上記した実施の形態１では、一致画素数のカウント値が極大であり、かつ、判定基準値を超えた場合に、サムネイル候補を抽出するものであった。この場合、カウント値が極大であっても、判定基準値を超えない場合には、サムネイル候補に採用されないことになる。したがって、必ずしも最適なサムネイル候補が抽出されない恐れがある。そこで、本発明の実施の形態２においては、カウント値が極大となる度に、サムネイル候補を抽出し、そのような不都合を防止する。
【００９７】
なお、本発明の実施の形態２における動画データ再生装置のハードウェア構成は、実施の形態１における動画データ再生装置１００と同様である。したがって、ここでも図１に示した符号を用いて説明する。また、実施の形態２における動画データ再生装置の機能構成は、図２に示した機能ブロック図のうちの更新部８を除くと実施の形態１と同様である。したがって、ここでも図２に示した符号を用いて説明する。
【００９８】
以下、実施の形態１との相違点について説明する。
図１１は、本発明の実施の形態２におけるサムネイル候補抽出・記憶処理を示すフローチャートである。
【００９９】
初めに、画像検出部１４は、初期化処理を行なう（Ｓ１０２′）。具体的には、アドレス参照用カウンタｊを０にする。また、一致画素数カウント用変数ｓｋ［０］を０にする。また、１フレーム前の一致画素数ｓｋ［−１］および２フレーム前の一致画素数“ｓｋ［−２］”をともに０とする。
【０１００】
Ｓ１０２′の処理が終わると、実施の形態１と同様に、Ｓ１０４〜Ｓ１１２の処理が実行される。
【０１０１】
Ｓ１１２において、アドレス参照用カウンタｊが４８００００に達したと判断された場合（Ｓ１１２においてＮＯ）、今回の一致画素数ｓｋ［０］が、１フレーム前の一致画素数ｓｋ［−１］よりも大きいか否かを判断する（Ｓ２０２）。条件を満たしていると判断された場合（Ｓ２０２においてＹＥＳ）、Ｓ２０４に進む。一方、条件を満たしていないと判断された場合（Ｓ２０２においてＮＯ）、Ｓ２０６に進む。
【０１０２】
Ｓ２０４において、サムネイル候補抽出・記憶部６は、仮保存を行なう。より詳細には、第４フレームデータ記憶部４４に、第１フレームデータ記憶部４１のデータを上書きする。Ｓ２０４の処理が終わると、Ｓ２１０に進む。
【０１０３】
Ｓ２０６において、サムネイル候補抽出・記憶部６は、１フレーム前の一致画素数ｓｋ［−１］が、２フレーム前の一致画素数ｓｋ［−２］よりも大きいか否かを判断する。条件を満たしていると判断された場合（Ｓ２０６においてＹＥＳ）、Ｓ２０８に進む。一方、条件を満たしていないと判断された場合（Ｓ２０６においてＮＯ）、Ｓ２１０に進む。
【０１０４】
Ｓ２０８において、サムネイル候補抽出・記憶部６は、本保存を行なう。より詳細には、サムネイル候補記憶部４５に、１フレーム前の一致画素数ｓｋ［−１］の値と、第４フレームデータ記憶部４４のフレームデータの縮小画像データとを関連付けて追記する。Ｓ２０８の処理が終わると、Ｓ２１０に進む。
【０１０５】
Ｓ２１０において、サムネイル候補抽出・記憶部６は、１フレーム前の一致画素数ｓｋ［−１］に、今回の一致画素数ｓｋ［０］の値を代入する。同時に、２フレーム前の一致画素数ｓｋ［−２］に、１フレーム前の一致画素数ｓｋ［−１］の値を代入する。
【０１０６】
Ｓ２１０の処理が終わると、処理はメインルーチンに戻される。
図１２は、本発明の実施の形態２におけるサムネイル候補記憶部４５のデータ構造の一例を示す図である。
【０１０７】
図１２（ａ）を参照して、サムネイル候補記憶部４５は、サムネイル候補管理情報記憶領域４５１とサムネイル候補画像記憶領域４５２とを含む。
【０１０８】
サムネイル候補管理情報記憶領域４５１の構造例を図１２（ｂ）に示す。また、サムネイル候補画像記憶領域４５２の構造例を図１２（ｃ）に示す。
【０１０９】
図１２（ｂ）を参照して、サムネイル候補管理情報記憶領域４５１には、対応するサムネイル候補の一致画素数であるカウント値データＤ１１と、サムネイル候補の画像データが格納されているアドレスデータＤ１２とが１対１で関連付けられて記憶される。これらのデータＤ１１，Ｄ１２は、サムネイル候補の抽出順に格納されてよい。
【０１１０】
図１２（ｃ）を参照して、サムネイル候補画像記憶領域４５２には、アドレスごとに、サムネイル候補である画像データが格納される。
【０１１１】
図１３は、本発明の実施の形態２におけるサムネイル登録処理を示すフローチャートである。図１３のフローチャートに示す処理もまた、予めプログラムとしてメモリ１１に格納されており、制御部１０がこのプログラムを読み出して実行することにより、サムネイル登録処理が実現される。なお、図９に示した処理と同様の処理については、同じ番号を付してある。したがって、それらについては、ここでの説明は繰返さない。
【０１１２】
図１３を参照して、本発明の実施の形態２におけるサムネイル登録処理は、上述のＳ３０２とＳ３０４との間に、Ｓ３０３に示す処理が実行される。すなわち、Ｓ３０２の処理が終わると、サムネイル登録部１８は、一致画素数の多い順に、具体的には、サムネイル候補管理情報記憶領域４５１に記憶されたカウント値データＤ１１の多い順に、サムネイル候補を、並び替える（Ｓ３０３）。
【０１１３】
Ｓ３０３の処理が終わると、実施の形態１と同様に、Ｓ３０４〜Ｓ３１２の処理が実行されて、サムネイル登録処理は終了される。
【０１１４】
このように、本発明の実施の形態２によると、カウント値が極大となる度に、サムネイル候補が抽出される。これにより、サムネイルとして最適な画像データが抽出される可能性を向上させることができる。
【０１１５】
また、実施の形態２では、ユーザにサムネイルを選択させる際に、カウント値の多い順に、サムネイル候補を並び替えて表示する。これにより、膨大な数のサムネイル候補が抽出されてしまった場合でも、ユーザは、容易にサムネイルを選択することが可能となる。
【０１１６】
なお、本実施の形態では、一旦、Ｓ３０２でサムネイル候補を読み出してから、Ｓ３０３で一致画素数の多い順にサムネイル候補を並び替えることとしたが、このような方法に限定されるものではない。たとえば、一致画素数の多い順に、サムネイル候補を読み出すこととしてもよい。
【０１１７】
また、本発明の動画データ再生装置１００が行なう、サムネイル候補決定方法およびサムネイル登録方法を、プログラムとして提供することもできる。このようなプログラムは、ＣＤ−ＲＯＭ（Compact Disc-ROM）などの光学媒体や、メモリカードなどのコンピュータ読取り可能な記録媒体６２にて記録させて、プログラム製品として提供することもできる。また、ネットワークを介したダウンロードによって、プログラムを提供することもできる。
【０１１８】
提供されるプログラム製品は、ハードディスクなどのプログラム格納部にインストールされて実行される。なお、プログラム製品は、プログラム自体と、プログラムが記録された記録媒体とを含む。
【０１１９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２０】
【図１】本発明の実施の形態１，２における動画データ再生装置のハードウェア構成を示すブロック図である。
【図２】本発明の実施の形態１，２における動画データ再生装置の機能ブロック図である。
【図３】サムネイルデータ記憶部のデータ構造の一例を示す図である。
【図４】（ａ）は、本発明の実施の形態１，２におけるフレームデータの各画素の座標を示す図であり、（ｂ）は、第１〜第３フレームデータ記憶部のデータ構造の一例を示す図である。
【図５】本発明の実施の形態１，２におけるフレーム抽出処理の概念を示す図である。
【図６】本発明の実施の形態１，２の動画データ再生装置の制御部において実行されるサムネイル決定処理のメインルーチンの流れを示すフローチャートである。
【図７】本発明の実施の形態１におけるサムネイル候補抽出・記憶処理を示すフローチャートである。
【図８】（ａ）は、本発明の実施の形態１においてサムネイル候補として抽出されるフレームを表わす図であり、（ｂ）は、本発明の実施の形態１の他の例において、サムネイル候補として抽出されるフレームを表わす図である。
【図９】本発明の実施の形態１におけるサムネイル登録処理を示すフローチャートである。
【図１０】サムネイル候補一覧画面の一例を示す図である。
【図１１】本発明の実施の形態２におけるサムネイル候補抽出・記憶処理を示すフローチャートである。
【図１２】（ａ）〜（ｃ）は、本発明の実施の形態２におけるサムネイル候補記憶部４５のデータ構造の一例を示す図である。
【図１３】本発明の実施の形態２におけるサムネイル登録処理を示すフローチャートである。
【符号の説明】
【０１２１】
４１〜４４  フレームデータ記憶部、２  フレームカウンタ、４  カウント部、６  サムネイル候補抽出・記憶部、８  更新部、１０  制御部、１１  メモリ、１２  フレーム抽出部、１４  画像検出部、１８  サムネイル登録部、２０  録画データ記録部、２１  サムネイルデータ記憶部、３０  ＴＶ放送受信部、３２  表示部、３４  入力部、３６  ドライブ装置、４５  サムネイル候補記憶部、６１  アンテナ、６２  記録媒体、１００
動画データ再生装置、４５１  サムネイル候補管理情報記憶領域、４５２  サムネイル候補画像記憶領域。
【図１】
2007201643.tif 000003
【図２】
2007201643.tif 000004
【図３】
2007201643.tif 000005
【図４】
2007201643.tif 000006
【図５】
2007201643.tif 000007
【図６】
2007201643.tif 000008
【図７】
2007201643.tif 000009
【図８】
2007201643.tif 000010
【図９】
2007201643.tif 000011
【図１０】
2007201643.tif 000012
【図１１】
2007201643.tif 000013
【図１２】
2007201643.tif 000014
【図１３】
2007201643.tif 000015